(57)【要約】【課題】  屋外に設置される機器のブランド名やロゴ・マーク等の表示ラベルへの雨だれによる汚れを防止できるようにした機器の筐体構造を提供する。【解決手段】  機器の筐体１にブランド名やロゴ・マーク等の表示ラベル２を貼り付けて屋外に設置される機器の筐体構造であって、機器の筐体に前記表示ラベルの上部前方に突出する突部が設けられてなる構成にした。これにより、前記表示ラベル２の表面に雨だれの跡（汚れ）が残らないようになって、同表示ラベル２の美観性および文字の判読性を維持できるようになる。【選択図】  図１
2008166337.tif 000002
【特許請求の範囲】
【請求項１】
機器の筐体にブランド名やロゴ・マーク等の表示ラベルを取り付けて屋外に設置される機器の筐体構造であって、
機器の筐体に前記表示ラベル全幅の上部前方に突出する突部が設けられてなることを特徴とする機器の筐体構造。
【請求項２】
前記突部の両側が前記表示ラベルの外側に延出されてなることを特徴とする請求項１に記載の機器の筐体構造。
【請求項３】
前記突部の上面両側が中央部よりも下方に傾斜するように形成されてなることを特徴とする請求項１または請求項２に記載の筐体構造。
【請求項４】
前記突部の上面後部および両側面後部に溝部が形成されてなることを特徴とする請求項１乃至請求項３の何れかに記載の筐体構造。
【発明の詳細な説明】
【技術分野】
【０００１】
本発明は、空気調和機の室外機のように屋外に設置される機器の筐体構造に係わり、より詳細には、機器のブランド名やロゴ・マーク等の表示ラベルへの雨だれによる汚れを防止できるようにした構造に関する。
【背景技術】
【０００２】
従来の空気調和機の室外機（機器）は、外装体（筐体）表面に表示ラベルが直接貼り付けられていることから、雨天時には表示ラベルの表面を直接汚れた雨水が流れるため、雨が乾くと雨水や雨水によって流された汚れが水垢となってこびりつき、外観性を著しく損ねるようになっていた。また、その汚れによって能力表示などの表示内容が読み難い状態担っていた。
【０００３】
そのため、上述した表示ラベルの汚れを防止するとともに、視認性に優れた表示ラベルの取付構造として、例えば図６（Ａ）および図６（Ｂ）に示すような構成にすることが考えられた。
【０００４】
すなわち、機器のパネル面１’に、該パネル面１’よりも突出する立体形状をなす非磁性材料からなる表示ラベル取付部材３’を取り付け、この表示ラベル取付部材３’に、表示ラベル５’を取り付ける窪み１１’を形成し、その窪みの底面を前記パネル面に対して傾斜させた構成が開示されており、例えば前記機器が屋外に設置される空気調和機の室外機であるとしたような場合に、前記表示ラベル取付部材３’の窪み１１’に前記表示ラベル５’を取り付けることで、同表示ラベル５’への雨だれによる汚れを防止できる構成とすることが期待できる（例えば、特許文献１参照。）。
【０００５】
しかしながら、その場合、空気調和機の室外機の外装体（筐体）に対し、別部材からなる前記表示ラベル取付部材３’のフランジ部７’を固定手段９’（ねじ）で取り付けるようにした構成になることから、同表示ラベル取付部材３’を別部材として製作するためコスト高になったり、前記外装体（筐体）に取り付けるための作業工数が生じてしまうといった問題点を有することになる。
【特許文献１】特開２００１−３４１７６号公報
【発明の開示】
【発明が解決しようとする課題】
【０００６】
そこで、本発明は上述した課題を解決するためになされたものであって、その目的は、屋外に設置される機器のブランド名やロゴ・マーク等の表示ラベルへの雨だれによる汚れを防止できるようにした機器の筐体構造を提供することにある。
【課題を解決するための手段】
【０００７】
上述した目的を達成するため、本発明は以下に示す特徴を備えている。
【０００８】
機器の筐体にブランド名やロゴ・マーク等の表示ラベルを取り付けて屋外に設置される機器の筐体構造であって、
機器の筐体に前記表示ラベル全幅の上部前方に突出する突部が設けられてなることを特徴としている。
【０００９】
また、前記突部の両側が前記表示ラベルの外側に延出されてなることを特徴としている。
【００１０】
また、前記突部の上面両側が中央部よりも下方に傾斜するように形成されてなることを特徴としている。
【００１１】
また、前記突部の上面後部および両側面後部に溝部が形成されてなることを特徴としている。
【発明の効果】
【００１２】
本発明によれば、表示ラベルの上縁に対応して、同表示ラベル全幅の前方に突出する突部が設けられてなる構成にしたので、簡便な構成で雨だれが直接に同表示ラベルに流れ落ちないようにして、雨だれによる同表示ラベルの汚れを防止できるようにした屋外に設置される機器の筐体構造を提供できる。
【００１３】
また、前記突部の両側が前記表示ラベルの外側に延出されたことで、同表示ラベルの両側部よりも外側に雨だれが流れ落ちるようになって、雨だれによる同表示ラベルの汚れを効果的に防止できるようになる。
【００１４】
また、前記突部の上面両側が中央部よりも下方に傾斜するように形成されたことで、同突部の上面にかかった雨水がその両側に向けて流れやすくなる。
【００１５】
また、前記突部の上面後部および両側面後部に溝部が形成されたことで、この溝部をつたって雨水がより円滑に流れやすくなる。
【発明を実施するための最良の形態】
【００１６】
次に、本発明の実施形態について図面を参照しながら説明する。
【００１７】
図１は本発明による機器の筐体構造を示す外観斜視図であり、図２は本発明による機器の筐体構造を示す要部説明図で、（Ａ）は斜視図、（Ｂ）は（Ａ）に示すＡ−Ａ’断面図、（Ｃ）は雨だれの流れを示す斜視図であり、図３は実施例１の説明図で、（Ａ）は第一例を示す正面図、（Ｂ）は（Ａ）に示すＢ−Ｂ’断面図、（Ｃ）は第二例を示す正面図、（Ｄ）は（Ｃ）に示すＣ−Ｃ’断面図、（Ｅ）は第三例を示す正面図、（Ｆ）は（Ｅ）に示すＤ−Ｄ’断面図であり、図４は実施例２の説明図で、（Ａ）は第一例を示す正面図、（Ｂ）は（Ａ）に示すＥ−Ｅ’断面図、（Ｃ）は第二例を示す正面図、（Ｄ）は（Ｃ）に示すＦ−Ｆ’断面図、（Ｅ）は第三例を示す正面図、（Ｆ）は（Ｅ）に示すＧ−Ｇ’断面図であり、図５はその他の実施例を示す説明図で、（Ａ）は幅が広く高さが低い表示ラベルの場合を示し、（Ｂ）は幅が広く高さが高い表示ラベルの場合を示し、（Ｃ）は幅が狭く高さが低い表示ラベルの場合を示し、（Ｄ）は幅が狭く高さが高い表示ラベルの場合を示し、（Ｅ）は幅が突部よりも広い表示ラベルの場合を示す。
【００１８】
本発明による機器の筐体構造は、図１と、図２（Ａ）乃至図２（Ｃ）とに示すように、機器の筐体１（外装体）にブランド名やロゴ・マーク等の表示ラベル２を貼り付けて、例えば空気調和機の室外機のように屋外に設置されるものであって、機器の筐体１に前記表示ラベル２全幅の上部前方に突出する突部３が設けられてなることを特徴とした構成になっている。
【００１９】
前記突部３は、前記筐体１が例えば合成樹脂製でなる場合（または板金製でなる構成であってもよい）、同筐体１と一体的に形成されるようにした構成になっており、これによって、上述した背景技術における表示ラベル取付部材のように別部材として製作する必要がないことからコスト的に有利になり、また、前記筐体１に取り付けるための作業工数が生じてしまうということがない。
【００２０】
前記突部３の両側部は、図２（Ａ）に示す延出部ａのように、前記表示ラベル２の両側端の外側に延出した構成になっており、また、図２（Ｂ）に示す突出部ｂのように、前端部が前記表示ラベル２全幅の前方に突出した構成になっている。
【００２１】
これにより、図２（Ｃ）に示す矢印ｃのように、前記筐体１に降り注がれた雨水の一部は、前記表示ラベル２に流れ落ちるのを避けるような形で、庇状に形成された前記突部３に沿った雨だれＡとして前記表示ラベル２の幅方向の外側に流れ落ちるようになることから、雨天時に前記表示ラベル２の表面を直接汚れた雨水が流れなくなり、雨が乾いた際、雨水や雨水によって流された汚れが水垢となって前記表示ラベル２にこびりつかないように防止できる。
【００２２】
その際、雨量が多い場合には、前記突部３および前記表示ラベル２に多量の雨水が降り注ぐことになるが、とくに、最も汚れた流れはじめの前記雨だれＡが前記表示ラベル２にかからないようになり、同表示ラベル２の水垢による汚れを防止できるようになって、美観や文字の判読性を維持できるようになる。
【００２３】
また、前記突部３は、その下面（水平面）に前記表示ラベル２の上端を当接させることで、同表示ラベル２を傾きのない姿勢（角度）で取り付け（貼着）できるように、正確に位置決めするためのガイドとしての機能を有している。
【実施例１】
【００２４】
ここで、実施例１として示す図３（Ａ）乃至図３（Ｆ）に基づいて、前記突部３の構成について詳細に説明する。
【００２５】
実施例１の第一例として図３（Ａ）および図３（Ｂ）に示すように、前記突部３は、その上面が前端を低くした傾斜面で左右はストレート型で形成される一方、下面が水平面で形成されることにより、上述したように、最も汚れた流れはじめの前記雨だれＡが前記表示ラベル２にかからないように前記傾斜面によって流れ落ちるようになって、同表示ラベル２の汚れを防止し、美観および文字の判読性を維持できて、前記表示ラベル２を傾きのない姿勢（角度）に位置決めできる。
【００２６】
また、実施例１の第二例として図３（Ｃ）および図３（Ｄ）に示すように、前記突部３は、その上面が前端を低くした傾斜面で形成されるとともに、両側端を中央部よりも低くしたアーチ型の曲面で形成される一方、下面が水平面で形成されることにより、上述したように、最も汚れた流れはじめの前記雨だれＡが前記表示ラベル２にかからないように、上面にかかった雨水をその両側に向けて効率よく流れ落として、同表示ラベル２の汚れを防止し、美観および文字の判読性を維持できて、前記表示ラベル２を傾きのない姿勢（角度）に位置決めできる。
【００２７】
また、実施例１の第三例として図３（Ｅ）および図３（Ｆ）に示すように、前記突部３は、その上面が前端を低くした傾斜面で形成されるとともに、両側端を中央部よりも低くした山型の面で形成される一方、下面が水平面で形成されることにより、上述したように、最も汚れた流れはじめの前記雨だれＡが前記表示ラベル２にかからないように、上面にかかった雨水をその両側に向けて効率よく流れ落として、同表示ラベル２の汚れを防止し、美観および文字の判読性を維持できて、前記表示ラベル２を傾きのない姿勢（角度）に位置決めできる。
【実施例２】
【００２８】
次に、実施例２として示す図４（Ａ）乃至図４（Ｆ）に基づいて、前記突部３の構成について詳細に説明する。
【００２９】
実施例２の第一例として図４（Ａ）および図４（Ｂ）に示すように、前記突部３のストレート型の上面後部および両側面後部には溝部４が形成される一方、下面は水平面で形成されることにより、上述したように、最も汚れた流れはじめの前記雨だれＡが前記表示ラベル２にかからないように、前記溝部４をつたって前記突部３の両側端に向けて円滑に流れ落ちるようにして、同表示ラベル２の汚れを防止し、美観および文字の判読性を維持できて、前記表示ラベル２を傾きのない姿勢（角度）に位置決めできる。
【００３０】
また、実施例２の第二例として図４（Ｃ）および図４（Ｄ）に示すように、前記突部３のアーチ型の上面後部および両側面後部には溝部４が形成される一方、下面は水平面で形成されることにより、上述したように、最も汚れた流れはじめの前記雨だれＡが前記表示ラベル２にかからないように、前記溝部４をつたって前記突部３の両側端に向けてより円滑に流れ落ちるようにして、同表示ラベル２の汚れを防止し、美観および文字の判読性を維持できて、前記表示ラベル２を傾きのない姿勢（角度）に位置決めできる。
【００３１】
また、実施例２の第三例として図４（Ｅ）および図４（Ｆ）に示すように、前記突部３の山型の上面後部および両側面後部には溝部４が形成される一方、下面は水平面で形成されることにより、上述した第二例と同様に、最も汚れた流れはじめの前記雨だれＡが前記表示ラベル２にかからないように、前記溝部４をつたって前記突部３の両側端に向けてより円滑に流れ落ちるようにして、同表示ラベル２の汚れを防止し、美観および文字の判読性を維持できて、前記表示ラベル２を傾きのない姿勢（角度）に位置決めできる。
【００３２】
次に、その他の実施例として、図５（Ａ）乃至図５（Ｅ）に基づいて、前記表示ラベル２の寸法形状に対応する前記突部３の事例について以下に説明する。
【００３３】
その他の実施例の第一例として図５（Ａ）に示すように、前記表示ラベル２の幅が広く高さが低い場合に対応して、前記突部３は前記延出部ａの寸法を小さめに形成すればよく、また、第二例として図５（Ｂ）に示すように、前記表示ラベル２の幅が広く高さが高い場合に対応して、第一例と同様に、前記突部３は前記延出部ａの寸法を小さめに形成すればよく、これによって、上述したように、最も汚れた流れはじめの前記雨だれＡが前記表示ラベル２にかからないようになる。
【００３４】
また、第三例として図５（Ｃ）に示すように、前記表示ラベル２の幅が狭く高さが低い場合に対応して、前記突部３は前記延出部ａの寸法を大きめに形成してもよく、同様に、第四例として図５（Ｄ）に示すように、前記表示ラベル２の幅が狭く高さが高い場合に対応して、前記突部３は前記延出部ａの寸法を大きめに形成してもよく、これによって、最も汚れた流れはじめの前記雨だれＡが更に前記表示ラベル２にかかりにくくなり、何れの場合にも、前記突部３の幅寸法よりも前記表示ラベル２が狭ければ、同表示ラベル２の表面に前記雨だれＡによる汚れの跡が付かなくなるので、前記表示ラベル２の幅の広さと高さは自由に設定できることになる。
【００３５】
また、第五例として図５（Ｅ）に示すように、前記表示ラベル２の汚れを気にしなくてもよい場合は、前記突部３は、単に前記表示ラベル２を貼り付ける時の位置決め用のガイドとして活用すればよく、したがって、前記表示ラベル２の両側がはみ出し部ａ’のように前記突部３からはみ出してもよい。
【図面の簡単な説明】
【００３６】
【図１】本発明による機器の筐体構造を示す外観斜視図である。
【図２】本発明による機器の筐体構造を示す要部説明図で、（Ａ）は斜視図であり、（Ｂ）は（Ａ）に示すＡ−Ａ’断面図であり、（Ｃ）は雨だれの流れを示す斜視図である。
【図３】実施例１の説明図で、（Ａ）は第一例を示す正面図であり、（Ｂ）は（Ａ）に示すＢ−Ｂ’断面図であり、（Ｃ）は第二例を示す正面図であり、（Ｄ）は（Ｃ）に示すＣ−Ｃ’断面図であり、（Ｅ）は第三例を示す正面図、（Ｆ）は（Ｅ）に示すＤ−Ｄ’断面図である。
【図４】実施例２の説明図で、（Ａ）は第一例を示す正面図であり、（Ｂ）は（Ａ）に示すＥ−Ｅ’断面図、（Ｃ）は第二例を示す正面図であり、（Ｄ）は（Ｃ）に示すＦ−Ｆ’断面図であり、（Ｅ）は第三例を示す正面図であり、（Ｆ）は（Ｅ）に示すＧ−Ｇ’断面図である。
【図５】その他の実施例を示す説明図で、（Ａ）は幅が広く高さが低い表示ラベルの場合を示し、（Ｂ）は幅が広く高さが高い表示ラベルの場合を示し、（Ｃ）は幅が狭く高さが低い表示ラベルの場合を示し、（Ｄ）は幅が狭く高さが高い表示ラベルの場合を示し、（Ｅ）は幅が突部よりも広い表示ラベルの場合を示す。
【図６】従来例による表示ラベル（銘板）の取付構造を示す説明図で、（Ａ）は斜視図、（Ｂ）は側面図である。
【符号の説明】
【００３７】
１  筐体
２  表示ラベル
３  突部
４  溝部
Ａ  雨だれ
ａ  延出部
ｂ  突出部
ａ’  はみ出し部
【図１】
2008166337.tif 000003
【図２】
2008166337.tif 000004
【図３】
2008166337.tif 000005
【図４】
2008166337.tif 000006
【図５】
2008166337.tif 000007
【図６】
2008166337.tif 000008